(57)【要約】      （修正有）【課題】腕部が柔らかく曲がる天秤であって、かつ、繰り返して使用したときに腕部が根本や支持部などにおいて破断することのない天秤を提供する。【解決手段】概略垂直の柱部５ａと概略水平の腕部５ｂを有する天秤５において、腕部５ｂの途中を２重のらせん状にまいてこれを巻線部５ｇとし、腕部５ｂの上側において柱部５ａから腕部５ｂに斜めに渡して斜吊部５ｈを設け、斜吊部５ｈの下方の端部を輪形状の支環部５ｊとし、支環部５ｊの下側を巻線部５ｇの輪の中に通すようにして取り付け、支環部５ｊにより巻線部５ｇを単純支持する構成とする。【選択図】図１
0003149760.tif 000002
【実用新案登録請求の範囲】
【請求項１】
線材からなる柱部であって上部にミチイト取付部を設け、また、下部にオモリを取り付け可能に構成した前記柱部と、前記柱部に対して根本を固定して取り付けた腕部であって、線材からなる前記腕部を有する天秤であって、
前記根本から適宜離れた位置において、前記腕部の途中をらせん状にまいてこれを巻線部とし、前記腕部の上側において前記柱部から前記腕部に渡して斜吊部を設け、前記斜吊部の上方の端部を前記柱部に固定し、前記斜吊部によって前記巻線部を単純支持する構成にしたことを特徴とする天秤。
【請求項２】
請求項１に記載した天秤であって柱部、腕部及び斜吊部がいずれもステンレスの線材からなることを特徴とする天秤。
【請求項３】
請求項１又は請求項２のいずれかに記載した天秤であって、斜吊部の下方の端部を輪形状に曲げた支環部とし、前記支環部の輪の下側が巻線部の輪の中を通過するように取り付け、前記支環部の下側により前記巻線部の輪の上側を単純支持する構成にしたことを特徴とする天秤。
【請求項４】
請求項１〜請求項３のいずれかに記載した天秤であって、腕部の途中を２重にまいてなる巻線部としたことを特徴とする天秤。
【請求項５】
請求項１〜請求項４のいずれかに記載した天秤であって、柱部の下部にオモリを取り付けたことを特徴とする天秤。
【請求項６】
請求項１〜請求項４のいずれかに記載した天秤であって、
柱部の下端部を輪形状とし、又は柱部の下端部に円環を取り付け、又は柱部の下部にサルカンを取り付け、いずれかをオモリ取付部としたことを特徴とする天秤。
【請求項７】
請求項１〜請求項６のいずれかに記載した天秤であって、腕部の反根本側の端部を輪形状とし、これを腕環部としたことを特徴とする天秤。
【請求項８】
請求項１〜請求項７のいずれかに記載した天秤であって、腕部の反根本側の端部近くにおいて腕部を下方に折り曲げ、腕先部を設けたことを特徴とする天秤。
【請求項９】
請求項１〜請求項８のいずれかに記載した天秤であって、柱部の上部を輪形状の柱環部とし、これをミチイト取付部としたことを特徴とする天秤。
【考案の詳細な説明】
【技術分野】
【０００１】
本考案は魚釣りに使用する天秤に係わり、繰り返しの使用において折れ難い天秤であって、かつ柔らかい天秤とすることにより、魚の食い付きがよいという効果が得られるようにした天秤に関するものである。
【背景技術】
【０００２】
通常の魚釣りにおいては、釣り竿にリールを取り付け、リールから巻き出したミチイトを釣り竿の先端から吊り下げ、ミチイトの先端部に仕掛けを取り付けている。仕掛けは天秤、オモリ、ハリス及び釣り針などから構成され、釣り針にえさを取り付けている。
魚はいきなりえさに食い付くことはなく、えさを軽くくわえて引く習性がある。魚がえさを軽くくわえて引いたときに、魚の動きに合わせてえさが抵抗小さく引かれ、えさが魚の口の中に止まっている場合に、ようやく魚はえさに食い付く。このように魚がえさを軽くくわえて引いたときに、釣り針に取り付けたえさが抵抗小さく動きやすい状態を、仕掛けや天秤が柔らかいといい、魚がえさを軽くくわえて引いたときに、釣り針に取り付けたえさの抵抗が大きく動きにくい状態を、仕掛けや天秤がかたいという。
本願考案者は魚釣りに適した天秤についての発明・考案を求めて特許調査を行ったが、実際に使用可能と思われる有用な発明・考案を見つけることができなかった。例えば、ミチイトとオモリの線に対して横方向に放射状に取り付けた金属板と、金属板の先端に取り付けた線材部とからなる釣り用テンビンの発明があった（例えば特許文献１参照。）。
しかし、係る発明はハリスとミチイトとの絡みを無くすことのみを目的とし、魚を釣る道具であることを忘れたため、柔らかさに欠ける天秤となっていた。魚の食い付きが悪い天秤では有用な発明とは思われない。  
【０００３】
従来、考案者が使用していた仕掛け３について図２（ａ）に示し説明する。天秤７は、垂直に設けた線径１．２ｍｍのステンレス線材からなる柱部７ａと、柱部７ａの上端部に設けた輪形状の柱環部７ｄと、柱部７ａの下端部に設けたオモリ７ｆと、水平方向に設けた線径１．２ｍｍのステンレス線材からなる腕部７ｂと、腕部７ｂの先端に設けた輪形状の腕環部７ｅとからなっていた。
仕掛け３は、柱環部７ｄにミチイト１０を結んで天秤７を吊り下げ、腕環部７ｅにハリス１２を結び、ハリス１２の先端に釣り針１５を結んだ構成とした。このような仕掛け３はかたく魚の食い付きが悪い問題と、腕部７ｂの根本７ｋが折れやすい問題があった。
また本願考案者は、天秤７を使用した別の仕掛け４を試した。ミチイト１０の端部の少し上で柱環部７ｄにミチイト１０を結んで天秤７を吊り下げ、ミチイト１０の先端をサルカン１４の片側に結び、サルカン１４の他側にミキイト１１を結び、ミキイト１１の先端にハリス１２を結び、ハリス１２の先端に釣り針１５を結んだ構成とした。
仕掛け４では腕部７ｂの根本７ｋが折れやすい問題は小さくなったが、仕掛け４もかたいため魚の食い付きが悪い問題は解決しなかった。
【０００４】
そこで、本願考案者は天秤の試作品を製作しては、仕掛けを他人に見られないよう注意しながら魚を釣って試すという、試行錯誤の実験を繰り返した。例えば図３に示した天秤６を試作し、天秤６を取り付けた仕掛け２を使用して魚を釣って試した。
仕掛け２は、天秤６の柱環部６ｄにミチイト１０を結び、腕環部６ｅにミキイト１１を結び、ミキイト１１に３本のハリス１２を結び、またミキイト１１の先端にサルカン１４を取り付けて１本のハリス１２を結び、合計４本のハリス１２にそれぞれ釣り針１５を結びつけたものである。
天秤６は、垂直に設けた線径１．４ｍｍのステンレス線材からなる柱部６ａと、柱部６ａの上端部に設けた輪形状の柱環部６ｄと、柱部６ａの下端部に設けたオモリ６ｆと、根本６ｋを柱部６ａに固定して水平方向に設けた線径０．８ｍｍのステンレス線材からなる腕部６ｂと、腕部６ｂの先端近くを下側に向かって折り曲げた腕先部６ｃと、腕部６ｂの先端に設けた輪形状の腕環部６ｅと、腕部６ｂの上側において柱部６ａと腕部６ｂとの間に斜めに渡した斜吊部６ｈからなるものとし、斜吊部６ｈの片方の端部を柱部６ａに固定し他方の端部を腕部６ｂに固定した。
天秤６はかたくなく、柔らかさの点で大きく改善することはできた、また、繰り返して使用しても根本６ｋにおいて腕部６ｂが破断することはなくなったが、繰り返して使用すると、腕部６ｂが斜吊部６ｈとの接合部６ｍにおいて破断する問題が生じた。
腕部６ｂは斜吊部６ｈにより固定支持されているため、腕部６ｂが接合部６ｍにおいて自由に曲がって変形するすることができないことと、接合部６ｍにおける切り欠き係数が高くなることが疲労破壊の原因と考えられた。
【先行技術文献】
【特許文献】
【０００５】
【特許文献１】特開２００８−３５７５９号公報
【考案の概要】
【考案が解決しようとする課題】
【０００６】
腕部が柔らかく曲がる天秤であって、かつ、繰り返して使用したときに腕部が破断することのない天秤を提供する。
【課題を解決するための手段】
【０００７】
腕部の途中をらせん状にまいてこれを巻線部とし、腕部の上側において柱部から腕部に渡して斜吊部を設け、斜吊部によって巻線部を単純支持する構成とする。
単純支持とは支持部材の上に被支持部材を単に置いた構成であって、支持部において被支持部材は支持部材に対して回転自由である。一方、固定支持とは支持部材に対して被支持部材を固定した構成であって、支持部において被支持部材と支持部材は相対的に回転することはできない。
【考案の効果】
【０００８】
腕部の途中に巻線部を設けたので、先端に小さな力をかけても腕部が柔らかく曲がるようになった。また巻線部を斜吊部によって単純支持する構成にしたので、固定支持した場合と比べてさらに腕部が柔らかく曲がるようになった。このため、魚の食い付きがよい天秤を提供することができた。
また腕部の先端を引いたときに巻線部が柔軟に変形しつつ、腕部が全体的に柔らかく曲がるため、腕部の特定の場所に高い応力が発生することがなく、従来と比べて強い力で腕部の先端を引いたときに、腕部が破断することはなかった。
また、巻線部を斜吊部によって単純支持する構成にしたので、支持部において腕部に発生する応力が小さくなり、また支持部における切り欠き係数も低くなるため、繰り返して使用しても支持部において腕部が疲労破壊することがなくなった。
【図面の簡単な説明】
【０００９】
【図１】本考案に係る天秤を使用した仕掛けの構成図である。
【図２】従来の天秤を使用した仕掛けの構成図である。
【図３】試作した天秤を使用した仕掛けの構成図である。
【考案を実施するための形態】
【００１０】
線材からなる柱部であって上部にミチイト取付部を設け、また、下部にオモリを取り付け可能に構成した柱部と、柱部に対して根本を固定して取り付けた腕部であって、線材からなる腕部を有する天秤とする。
そして、根本から適宜離れた位置において腕部の途中をらせん状にまいてこれを巻線部とし、腕部の上側において柱部から腕部に渡して斜吊部を設け、斜吊部の上方の端部を柱部に固定し、斜吊部によって巻線部を単純支持する構成の天秤とする。
また柱部、腕部及び斜吊部がいずれもステンレスの線材からなる天秤とする。錆びにくく強度があれば使用する材料についてこだわるものではない。しかし現在ではステンレスの線材が錆びにくく強度もあるため、最も好ましいと考えられるからである。
また斜吊部の下方の端部を輪形状に曲げた支環部とし、支環部の輪の下側が巻線部の輪の中を通過するように取り付け、支環部の下側により巻線部の輪の上側を単純支持する構成にした天秤とする。
斜吊部の下方の端部をＶ字型やＵ字型に折り曲げたり、フック部材やチェンなどを取り付け、これらの一部を巻線部の輪に通す構成も考えられ、巻線部を単純支持する構成についてこだわるものではないが、試行錯誤の結果によると支環部により巻線部を単純支持する構成が最も好ましかったからである。
また腕部の途中を２重にまいてなる巻線部とした天秤とする。巻線部を１巻きとしたり３〜５巻きなど多数まいた巻線部とすることも可能である。しかし試行錯誤の結果によると２重にまいた巻線部が最も好ましかったからである。
【００１１】
また柱部の下部にオモリを取り付けた天秤とする。予めオモリを取り付けておけば釣り人がオモリの選定に迷うことなく、オモリの取り付けや取り外しを行う必要がなくなるため便利である。
また釣り人がそれぞれの好みに合わせ、自由に選んだオモリを取り付けて使用する場合は、天秤の柱部の下部にオモリ取付部を設ける。そして柱部の下端部を輪形状に加工してこれをオモリ取付部とする、又は柱部の下端部に円環を取り付けこれをオモリ取付部とする、又は柱部の下部にサルカンを取り付けこれをオモリ取り付け部とする、などの構成が考えられいずれも好ましい。
また腕部の反根本側の端部を輪形状とし、これを腕環部とした天秤とする。腕部の反根本側の端部付近に溝を設けてミキイトやハリスを結びつける構成としたり、反根本側の端部付近に穴を明けてミキイトを貫通させる構成がある。しかし腕部の反根本側の端部を腕環部とすれば、ミキイトやハリスを結びつけることもミキイトを貫通させることも容易になり便利である。
また腕部の反根本側の端部近くにおいて腕部を下方に折り曲げ、折り曲げた先の部分を腕先部とした天秤とする。腕先部を設けると、魚がえさを軽くくわえたときのあたりに対して、腕先部が敏感に反応するため好ましいからである。
また柱部の上部を輪形状の柱環部とし、これをミチイト取付部とした天秤とする。柱部の上部に溝を設けたり穴を明けたりして、ミチイトを結びつける構成とすることも可能であり、ミチイト取付部の構成についてはこだわるものではないが、柱環部とするとミチイトの結びつけが容易になるため好ましい。
【実施例１】
【００１２】
以下本考案の実施例を図１に示し説明する。実施例１の仕掛け１は天秤５の柱環部５ｄにミチイト１０を結び、腕環部５ｅにミキイト１１を結び、ミキイト１１に３本のハリス１２を結び、またミキイト１１の先端にサルカン１４を取り付けて１本のハリス１２を結び、合計４本のハリス１２にそれぞれ釣り針１５を結びつけたものである。
天秤５は線径１．４ｍｍのステンレスの線材を概略垂直に設けた柱部５ａを有するものとし、柱部５ａの上端を輪形状に曲げた腕環部５ｄとし、これをミチイト取付部とした。また柱部５ａの下端にオモリ５ｆを取り付け、柱環部５ｄの中心からオモリ５ｆの上までの長さＢを１５０ｍｍとした。
また天秤５は線径０．８ｍｍのステンレスの線材を概略水平に設けた腕部５ｂを有するものとし、根本５ｋを柱部５ａに固定し、反根本側の先端を輪形状に曲げた腕環部５ｅとした。このとき柱環部５ｄの中心から腕部５ｂまでの長さＣは４０ｍｍとし、柱部５ａから腕環部５ｅまでの長さＡを１８０ｍｍとした。そして腕部５ｂの途中を２重にまいて、これを巻線部５ｇとした。また腕部５ｂの反根本側の端部近くにおいて腕部５ｂを下方に折り曲げ、傾斜した部分を腕先部５ｃとした。
さらに腕部５ｂの上側において、柱部５ａから腕部５ｂにかけて概略斜めに渡すように斜吊部５ｈを設け、斜吊部５ｈの上方の端部を柱部５ａに固定し、斜吊部５ｈの下方の端部を輪形状に曲げた支環部５ｊとし、支環部５ｊの輪の下側が巻線部５ｇの２重の輪の中を通過するようにして取り付け、支環部５ｊの輪の下側により、巻線部５ｇの２重の輪の上側を単純支持する構成とした。  
【００１３】
実施例１の仕掛け１は天秤５の腕部５ｂの先端部近くに下方に折り曲げた腕先部５ｃを設けたので、魚がえさを軽くくわえたときのあたりに敏感に反応する仕掛け１とすることができた。
また天秤５の腕部５ｂの途中に２重の巻線部５ｇを設けたので、ミキイト１１に小さな力をかけても腕部５ｂが柔らかく曲がるようになった。また巻線部５ｇを斜吊部５ｈによって単純支持する構成にしたので、固定支持した場合と比べてさらに腕部５ｂが柔らかく曲がるようになった。このため、魚の食い付きがよい天秤５を提供することができた。
またミキイト１１を引いたときに巻線部５ｇが柔軟に変形しつつ、腕部５ｂが全体的に柔らかく曲がるため、腕部５ｂの特定の場所に高い応力が発生することがなく、ミキイトを従来と比べて強い力（１５ｋｇ）で引いたときに破断することはなかった。
さらに、巻線部５ｇを斜吊部５ｈによって単純支持する構成にしたので、支持部において腕部５ｂに発生する応力が小さくなり、また支持部における切り欠き係数も低くなるため、繰り返して使用したときに、支持部を含めたいずれの部分においても、腕部５ｂは疲労破壊することがなくなった。
実際に実施例１の仕掛け１と従来の天秤７を使用した仕掛けを並べ、仕掛けを他人に見られないようにして魚釣りを行ってみたところ、実施例１の仕掛け１ばかりに立て続けに魚がかかり、従来の天秤７を使用した仕掛けにはほとんどあたりがなかった。
【産業上の利用可能性】
【００１４】
本考案は、天秤を製造して販売する産業だけでなく、釣り情報を提供したり仕掛けのアドバイスを行うなど、釣り関連のサービスを提供する産業においても利用される。
【符号の説明】
【００１５】
１  ：仕掛け                  ２  ：仕掛け                ３  ：仕掛け
４  ：仕掛け                  ５  ：天秤                  ５ａ：柱部
５ｂ：腕部                    ５ｃ：腕先部                ５ｄ：柱環部
５ｅ：腕環部                  ５ｆ：オモリ                ５ｇ：巻線部
５ｈ：斜吊部                  ５ｊ：支環部                ５ｋ：根本
６  ：天秤                    ６ａ：柱部                  ６ｂ：腕部
６ｃ：腕先部                  ６ｄ：柱環部                ６ｅ：腕環部
６ｆ：オモリ                  ６ｈ：斜吊部                ６ｋ：根本
６ｍ：接合部                  ７  ：天秤                  ７ａ：柱部
７ｂ：腕部                    ７ｄ：柱環部                ７ｅ：腕環部
７ｆ：オモリ                  ７ｋ：根本                １０  ：ミチイト
１１  ：ミキイト              １２  ：ハリス              １４  ：サルカン
１５  ：釣り針
【図１】
0003149760.tif 000003
【図２】
0003149760.tif 000004
【図３】
0003149760.tif 000005